(57)【要約】【課題】観察環境を考慮して、ハードコピーにおいて画像データの適切な色再現を行うことができる技術を提供する。【解決手段】画像再現方法は、再現されたハードコピーの観察環境条件の入力を促す入力受付画像を含む設定画面を表示し、入力された観察環境条件に基づいて画像データと色再現プロファイルとのいずれかの補正を行い、補正に基づいてハードコピーを生成する。【選択図】図４
2020182153.tif 000002
【特許請求の範囲】
【請求項１】
画像データを色再現プロファイルに基づいてハードコピーとして再現する画像再現方法であって、
再現された前記ハードコピーの観察環境条件の入力を促す入力受付画像を含む設定画面を表示し、
入力された前記観察環境条件に基づいて前記画像データと前記色再現プロファイルとのいずれかの補正を行い、
前記補正に基づいて前記ハードコピーを生成する、画像再現方法。
【請求項２】
請求項１に記載の画像再現方法であって、さらに、
前記補正を行うことなく生成した前記ハードコピーの入力された前記観察環境条件の下での見え方をシミュレーションした第１シミュレーション画像と、前記補正に基づき生成した前記ハードコピーの入力された前記観察環境条件の下での見え方をシミュレーションした第２シミュレーション画像との少なくともいずれか一方のシミュレーション画像と、前記補正を行うか否かの決定を促す情報とを、前記ハードコピーを生成する前に前記設定画面に表示する、画像再現方法。
【請求項３】
請求項２に記載の画像再現方法であって、さらに、
前記画像データが表す元画像を、前記ハードコピーを生成する前に前記設定画面に表示する、画像再現方法。
【請求項４】
請求項２または請求項３に記載の画像再現方法であって、さらに、
前記設定画面に表示する前記シミュレーション画像の背景画像として、前記ハードコピーの背景を表す壁画像を前記シミュレーション画像の周囲に表示する、画像再現方法。
【請求項５】
請求項４に記載の画像再現方法であって、さらに、
前記壁画像の条件である背景条件の入力を促す背景選択画像を前記設定画面に表示し、
入力された前記背景条件に基づいて前記壁画像を前記シミュレーション画像の周囲に表示する、画像再現方法。
【請求項６】
請求項１から請求項５までのいずれか一項に記載の画像再現方法であって、
前記観察環境条件は、前記ハードコピーの配置場所に関する配置条件を含む、画像再現方法。
【請求項７】
請求項１から請求項６までのいずれか一項に記載の画像再現方法であって、
前記観察環境条件は、前記ハードコピーを照らすための展示用照明器具と、前記ハードコピーとの位置関係を示す位置関係条件を含む、画像再現方法。
【請求項８】
請求項１から請求項７までのいずれか一項に記載の画像再現方法であって、
前記観察環境条件は、前記ハードコピーを照らすための展示用照明器具の種類を示す種類条件を含む、画像再現方法。
【請求項９】
請求項１から請求項８までのいずれか一項に記載の画像再現方法であって、
前記観察環境条件は、前記ハードコピーが展示される空間を照らすための空間用照明器具の位置を示す空間照明位置条件を含む、画像再現方法。
【請求項１０】
請求項１から請求項９までのいずれか一項に記載の画像再現方法であって、
前記設定画面に表示された画像は、前記観察環境条件を示す複数の選択枝を表す画像を含む、画像再現方法。
【発明の詳細な説明】
【技術分野】
【０００１】
本開示は、画像再現方法についての技術に関する。
【背景技術】
【０００２】
従来、記憶色による人の色認識バイアスに鑑みて、画像全体で色度情報を集計し、その集計結果に応じてカラー画像に対して色補正を行う技術が知られている（特許文献１）。
【先行技術文献】
【特許文献】
【０００３】
【特許文献１】特開平１１−８７７３号公報
【発明の概要】
【発明が解決しようとする課題】
【０００４】
従来の技術において、印刷装置を用いて画像を印刷してハードコピーを生成した場合、観察環境によってハードコピーに形成された画像の見え方が変化する場合がある。このため、観察環境を考慮して、ハードコピーにおいて画像データの適切な色再現を行うことができる技術を提供する。
【課題を解決するための手段】
【０００５】
本開示の一形態によれば、画像データを色再現プロファイルに基づいてハードコピーとして再現する画像再現方法が提供される。この画像再現方法は、再現された前記ハードコピーの観察環境条件の入力を促す入力受付画像を含む設定画面を表示し、入力された前記観察環境条件に基づいて前記画像データと前記色再現プロファイルとのいずれかの補正を行い、前記補正に基づいて前記ハードコピーを生成する。
【図面の簡単な説明】
【０００６】
【図１】本開示の実施形態として色再現システムを示す図。
【図２】第１記憶部を説明するための図。
【図３】基本色再現プロファイルを説明するための図。
【図４】色再現システムが実行する色再現方法のフローチャート。
【図５】表示入力装置に表示された設定画面を説明するための図。
【図６】第１補正テーブルを説明するための図。
【図７】第２補正テーブルを説明するための図。
【図８】第３補正テーブルを説明するための図。
【図９】第４補正テーブルを説明するための図。
【図１０】第５補正テーブルを説明するための図。
【図１１】第６補正テーブルを説明するための図。
【図１２】補正テーブルの変更について説明するための第１の図。
【図１３】補正テーブルの変更について説明するための第２の図。
【発明を実施するための形態】
【０００７】
Ａ．実施形態：
図１は、本開示の実施形態として色再現システム１０を示す図である。図２は、第１記憶部２８を説明するための図である。図３は、基本色再現プロファイル２８１を説明するための図である。図１に示すように、色再現システム１０は、情報処理装置２０と、印刷装置４０とを備える。情報処理装置２０は、基本色再現プロファイル２８１を補正する装置であり、例えばパーソナルコンピューターである。印刷装置４０は、情報処理装置２０から送信された印刷画像データＰＤに基づいて印刷画像を紙などの媒体に印刷することでハードコピー６０を生成する。
【０００８】
情報処理装置２０は、表示入力装置２１と、制御装置２５とを備える。表示入力装置２１は、利用者からの入力を受け付ける機能と、制御装置２５の指示に応じて出力結果を表示する機能とを有する。表示入力装置２１は、例えば、マウスやキーボードや液晶ディスプレイなどの組み合わせによって構成してもよいし、タッチパネル式のディスプレイによって構成してもよい。制御装置２５は、制御部である第１ＣＰＵ２７と、第１通信インターフェース２６と、第１記憶部２８とを備える。
【０００９】
第１ＣＰＵ２７は、情報処理装置２０の各種動作を制御する。第１ＣＰＵ２７は、第１記憶部２８に記憶された各種プログラムを実行することで、表示制御部２７１と、補正部２７３と、画像生成部２７５として機能する。表示制御部２７１は、表示入力装置２１の動作を制御して、表示入力装置２１に表示画像データＤＤが示す画像や各種情報を表示させる。補正部２７３は、表示入力装置２１を介して制御装置２５に入力された観察環境条件ＣＩに基づいて、第１記憶部２８に記憶された色再現プロファイルとしての基本色再現プロファイル２８１を補正して、補正色再現プロファイル２９１を生成する。補正部２７３が実行する観察環境条件ＣＩに基づく基本色再現プロファイル２８１の補正内容については後述する。また補正部２７３は、入力された背景条件ＢＩに基づいて、後述する壁画像データ２４２を表示入力装置２１が有する色空間に変換するための色再現プロファイルを補正する。画像生成部２７５は、制御装置２５に入力された画像データＤＩＰと、補正色再現プロファイル２９１と、を用いて表示入力装置２１に表示する表示画像データＤＤや、印刷装置４０を用いてハードコピー６０を生成するための印刷画像データＰＤを生成する。
【００１０】
第１通信インターフェース２６は、印刷装置４０や外部機器３０などの通信可能な機器との間で有線や無線によってデータ通信を行う。外部機器３０は、例えば、デジタルカメラやスキャナーなどである。
【００１１】
第１記憶部２８は、ＲＯＭやＲＡＭやＤＲＡＭやハードディスクなどによって構成されている。第１記憶部２８には、基本色再現プロファイル２８１と、壁画像を表す壁画像データ２４２と、Ｌａｂ画像データ２４４とが記憶されている。また、補正部２７３によって基本色再現プロファイル２８１が補正された場合には、第１記憶部２８には、補正色再現プロファイル２９１が記憶される。壁画像データ２４２は、後述する入力される背景条件ＢＩの各条件に対応して複数記憶されている。壁画像データ２４２は、Ｌａｂ色空間で表されている。なお、壁画像データ２４２は、ＲＧＢ色空間で表されていてもよい。Ｌａｂ画像データ２４４は、入力されたＲＧＢ色空間の座標値で表された画像データＤＩＰを、Ｌａｂ色空間の座標値に変換したデータである。
【００１２】
基本色再現プロファイル２８１や補正色再現プロファイル２９１は、カラーマネジメントにおいて、インターナショナル・カラー・コンソーシアム（International Color Consortium）の公表した標準に従い、色に関わる入出力機器や色空間を特徴付ける一連のデータである。
【００１３】
図２に示すように、基本色再現プロファイル２８１は、各機器が有する色空間、例えばＲＧＢ色空間やＣＭＹＫ色空間を、絶対色空間であるＬａｂ空間を通して色を統一的に管理するプロファイルである。基本色再現プロファイル２８１は、入力プロファイル２８２と、基本第１出力プロファイル２８３と、基本第２出力プロファイル２８５とを有する。
【００１４】
図３に示すように、入力プロファイル２８２は、入力側の機器である外部機器３０に依存するＲＧＢ色空間における座標値である［Ｒｊ，Ｇｊ，Ｂｊ］と、Ｌａｂ色空間における座標値である［Ｌｊ，ａｊ，ｂｊ］との対応関係を保持している。なお、変数ｊは、座標の格子点を識別するための変数である。基本第１出力プロファイル２８３は、出力側の機器である表示入力装置２１に依存するＲＧＢ色空間における座標値である［Ｒｊ，Ｇｊ，Ｂｊ］と、Ｌａｂ空間における座標値である［Ｌｊ，ａｊ，ｂｊ］との対応関係を保持している。基本第２出力プロファイル２８５は、出力側の機器である印刷装置４０に依存するＣＭＹＫ色空間における座標値である［Ｃｊ，Ｍｊ，Ｙｊ，Ｋｊ］と、Ｌａｂ空間における座標値［Ｌｊ，ａｊ，ｂｊ］との対応関係を保持している。
【００１５】
図２に示すように、補正色再現プロファイル２９１は、基本色再現プロファイル２８１と同様に、各機器が有する色空間、例えばＲＧＢ色空間やＣＭＹＫ色空間を、絶対色空間であるＬａｂ空間を通して色を統一的に管理するプロファイルである。補正色再現プロファイル２９１は、補正第１出力プロファイル２９３と、補正第２出力プロファイル２９５と、補正第３出力プロファイル２９７と、補正背景出力プロファイル２９８とを有する。
【００１６】
補正第１出力プロファイル２９３と補正第２出力プロファイル２９５と補正背景出力プロファイル２９８とは、補正部２７３が基本第１出力プロファイル２８３を後述する観察環境条件ＣＩに基づいて補正することで生成したプロファイルである。補正第１出力プロファイル２９３と補正第２出力プロファイル２９５と補正背景出力プロファイル２９８とは、出力側の機器である表示入力装置２１に依存するＲＧＢ色空間における座標値と、Ｌａｂ空間における座標値との対応関係を保持している。補正第３出力プロファイル２９７は、補正部２７３が基本第２出力プロファイル２８５を後述する観察環境条件ＣＩに基づいて補正することで生成したプロファイルである。補正第３出力プロファイル２９７は、出力側の機器である印刷装置４０に依存するＣＭＹＫ色空間における座標値と、Ｌａｂ空間における座標値との対応関係を保持している。
【００１７】
図１に示すように、印刷装置４０は、制御部である第２ＣＰＵ４７と、第２通信インターフェース４６と、記録ヘッド４８と、記憶部４９とを備える。
【００１８】
記録ヘッド４８は、複数のノズルを備える。複数のノズルは、シアンインクを吐出するノズルと、マゼンタインクを吐出するノズルと、イエローインクを吐出するノズルと、ブラックインクを吐出するノズルと、を有する。
【００１９】
第２記憶部４９は、ＲＯＭやＲＡＭやＤＲＡＭやハードディスクなどによって構成されている。第２記憶部４９には、印刷装置４０の動作を制御するための各種プログラムが記憶されている。
【００２０】
第２通信インターフェース４６は、情報処理装置２０などの通信可能な装置との間で有線や無線によってデータ通信を行う。
【００２１】
第２ＣＰＵ４７は、印刷装置４０の各種動作を制御する。第２ＣＰＵ４７は、第２記憶部４９に記憶された各種プログラムを実行することで、印刷制御部４７１として機能する。印刷制御部４７１は、印刷画像データＰＤに基づいて、記録ヘッド４８によってシアンインク、マゼンタインク、イエローインク、ブラックインクを媒体に吐出させることで印刷動作を実行することでハードコピー６０を生成する。
【００２２】
図４は、色再現システム１０が実行する色再現方法のフローチャートである。図５は、表示入力装置２１に表示された設定画面ＳＣを説明するための図である。色再現方法は、画像データＤＩＰを基本色再現プロファイル２８１や補正色再現プロファイル２９１に基づいてハードコピー６０として再現する方法である。画像データＤＩＰは、例えば、外部機器３０から制御装置２５に入力されたデータである。画像再現方法は、利用者から表示入力装置２１を介して入力された色再現方法の実行指示を制御装置２５が受け付けることで開始される。
【００２３】
図４に示すように、まず表示制御部２７１は、ステップＳ１０において設定画面ＳＣを表示入力装置２１に表示する。図５に示すように、設定画面ＳＣは、入力受付画像ＩＭＴと、元画像表示領域ＲＲと、ハードコピー表示領域ＲＰと、補正受付画像ＩＭＡと、操作画像ＩＭＩとを有する。利用者は、設定画面ＳＣ上でマウスなどを操作することで各種入力を実行する。
【００２４】
入力受付画像ＩＭＴは、設定画面ＳＣ上の下側領域に表示されている。入力受付画像ＩＭＴは、再現されたハードコピー６０の観察環境条件ＣＩの入力を促す画像である。つまり、入力受付画像ＩＭＴは、ハードコピー６０が配置され観察される環境についての条件を受け付ける画像ある。観察環境条件ＣＩは、配置条件と、位置関係条件と、種類条件と、空間照明位置条件と、を含む。
【００２５】
配置条件は、ハードコピー６０が展示されて観察される配置場所に関する条件である。配置条件は、入力受付画像ＩＭＴが有する配置選択画像ＩＭＴ１によって入力が受け付けられる。配置選択画像ＩＭＴ１は、配置場所が「屋内」と「屋外」のいずれかを選択させる画像ＩＭＳ１を有する。具体的には画像ＩＭＳ１は、「屋内」と「屋外」のそれぞれの文字画像と、各文字画像の横に配置された四角形状の選択ボックス画像とを有する。利用者は、２つの選択ボックス画像のいずれかを選択することで、配置条件を入力する。図５では、「屋内」の文字画像の横の選択ボックスが選択されている。
【００２６】
空間照明位置条件は、ハードコピー６０が展示される空間を照らすための空間用照明器具の位置を示す条件である。空間照明位置条件は、配置選択画像ＩＭＴ１が含む位置選択画像ＩＭＬ１によって入力が受け付けられる。具体的には、配置選択画像ＩＭＴ１がクリックなどされることで選択されることで、図５に示すように複数の選択枝を表す画像が表示される。図５に示す例では、複数の選択枝を表す画像は、「天井」、「スタンド」、「床」の３つの文字画像である。「天井」の選択枝は、空間用照明器具が天井に配置されているときに選択される選択枝である。「スタンド」の選択枝は、空間照明器具がスタンドライトであり、床面にスタンドライトが配置されているときに選択される選択枝である。「床」の選択枝は、空間照明器具が床に埋め込まれて配置されているときに選択される選択枝である。なお、空間照明位置条件は、上記に限定されるものではなく、上記以外の選択枝を設けても良いし上記選択枝に代えて他の選択枝を設けてもよい。
【００２７】
位置関係条件は、ハードコピー６０を照らすための展示用照明器具と、配置されたハードコピー６０の位置関係を示す条件である。種類条件は、ハードコピー６０を照らすための展示用照明器具の種類を示す条件である。位置関係条件および種類条件は、入力受付画像ＩＭＴが有する位置種類選択画像ＩＭＴ２によって入力が受け付けられる。位置種類選択画像ＩＭＴ２は、位置関係が「表」と「裏」のいずれかを選択させる画像ＩＭＳ２を有する。具体的には位置種類選択画像ＩＭＴ２は、「表」と「裏」のそれぞれの文字画像と、各文字画像の横に配置された四角形状の選択ボックス画像とを有する。利用者は、２つの選択ボックス画像のいずれかを選択することで、位置関係条件を入力する。図５では、「表」の文字画像の横の選択ボックスが選択されている。なお、「表」は、展示用照明器具がハードコピー６０の表側から照らす場合に選択され、「裏」は、展示用照明器具がハードコピーを裏側から照らす場合に選択される。
【００２８】
種類条件は、位置種類選択画像ＩＭＴ２が含む種類選択画像ＩＭＬ５によって入力が受け付けられる。具体的には、種類選択画像ＩＭＬ５がクリックなどされることで選択されることで、複数の選択枝を表す画像が表示される。図５に示す例では、複数の選択枝を表す画像は、「蛍光灯」、「白熱灯」の２つの文字画像である。「蛍光灯」の選択枝は、展示用照明器具が蛍光灯であるときに選択される選択枝である。「白熱灯」の選択枝は、展示用照明器具が白熱灯であるときに選択される選択枝である。なお、展示用照明器具の種類を示す条件は、上記に限定されるものではなく、上記以外の選択枝を設けても良いし上記選択枝に代えて他の選択枝を設けてもよい。
【００２９】
位置関係条件は、さらに、ハードコピー６０を照らす展示用照明器具の向きに関する方向条件を含む、方向条件は、入力受付画像ＩＭＴが有する方向選択画像ＩＭＤによって入力が受け付けられる。方向選択画像ＩＭＤは、位置関係の条件において「表」が選択されたときに表示される表用方向選択画像ＩＭＤ１と、位置関係の条件において「裏」が選択されたときに表示される裏用方向選択画像ＩＭＤ２とを有する。なお、方向選択画像ＩＭＤは、ステップＳ１０におけるデフォルト状態では表用方向選択画像ＩＭＤ１が表示されている。
【００３０】
表用方向選択画像ＩＭＤ１は、中心部を囲んで８つの四角形状の画像ＭＳが配置されている。中心部にハードコピー６０が配置されていると想定して、展示用照明器具がハードコピー６０を照らす向きを８つの画像ＭＳから少なくとも一つ選択することで方向条件が選択される。例えば、展示用照明器具が、ハードコピー６０の上側において左右両側からハードコピー６０を照らす場合には、利用者は画像ＭＳ１、ＭＳ２を選択する。
【００３１】
裏用方向選択画像ＩＭＤ２は、格子状に並んだ２５個の四角形状の画像ＭＴが配置されている。裏用方向選択画像ＩＭＤ２の外枠と重なるようにハードコピー６０が配置されていると想定して、ハードコピー６０の裏側に位置する展示用照明器具の位置を、２５個の画像ＭＴから少なくとも一つ選択することで方向条件が選択される。例えば、展示用照明器具がハードコピー６０の裏側であり、かつ、ハードコピー６０の上端部に沿って配置されている場合には、最上列の５つの画像ＭＴが利用者によって選択される。
【００３２】
入力受付画像ＩＭＴは、さらに、配置されるハードコピー６０の背景となる背景条件ＢＩの入力を促す背景選択画像ＩＭＢを有する。背景選択画像ＩＭＢは、ハードコピー６０が配置され、ハードコピー６０の背景となる壁についての条件を示す。詳細には、背景選択画像ＩＭＢは、後述するシミュレーション画像ＩＭＰ１、ＩＭＰ２の背景画像となる壁画像の条件を示す。背景選択画像ＩＭＢは、背景となる壁が単一色を示す「色あり」と、背景となる壁が柄を有する「柄あり」と、背景となる壁が無い「無し」とのいずれかを選択させる画像ＩＭＳ３を有する。具体的には画像ＩＭＳ３は、「色あり」、「柄あり」、「無し」のそれぞれの文字画像と、各文字画像の横に配置された四角形状の選択ボックス画像とを有する。また「色あり」と「柄あり」とのいずれかが選択された場合に、詳細条件を入力するための詳細選択画像ＩＭＬ３、ＩＭＬ４が設けられている。第１詳細選択画像ＩＭＬ３は、「色あり」が選択された場合に、壁の色を選択させるための画像である。第１詳細選択画像ＩＭＬ３は、選択されることで複数の選択枝を表す画像、例えば、「白」、「黒」、「茶」の文字画像が表示される。利用者は、例えば、背景となる壁が黒色である場合には、第１詳細選択画像ＩＭＬ３の選択枝から「黒」を選択する。第２詳細選択画像ＩＭＬ４は、「柄あり」が選択された場合に、壁の柄を選択させるための画像である。第２詳細選択画像ＩＭＬ４は、選択されることで複数の選択枝を表す画像、例えば、「木目」、「布」の文字画像が表示される。利用者は、例えば、背景となる壁が木材で形成されている場合には、第２詳細選択画像ＩＭＬ４の選択枝から「木目」を選択する。なお、第１詳細選択画像ＩＭＬ３や第２詳細選択画像ＩＭＬ４の選択枝は上記に限定されるものではなく、上記以外の選択枝を設けても良いし、上記選択枝に代えて他の選択枝を設けてもよい。
【００３３】
元画像表示領域ＲＲは、設定画面ＳＣ上の左上側に位置している。元画像表示領域ＲＲは、制御装置２５に入力された画像データＤＩＰが表す元画像ＩＭＲを設定画面ＳＣ上に再現して表示する領域である。具体的には、画像生成部２７５は、入力プロファイル２８２を用いて、入力された画像データＤＩＰのＲＧＢ色空間における座標値を、Ｌａｂ色空間における座標値に変換して変換後のＬａｂ画像データ２４４を記憶部２８に記憶させる。また画像生成部２７５は、基本第１出力プロファイル２８３を用いて、Ｌａｂ画像データ２４４の座標値を、表示入力装置２１に依存するＲＧＢ色空間における座標値に変換して、変換後のデータを元データとして生成する。表示制御部２７１は、生成された元データを元画像表示領域ＲＲに元画像ＩＭＲとして表示入力装置２１に表示する。元画像表示領域ＲＲの上側には、元画像ＩＭＲであることを示す「元データ」を表す文字画像ＩＭａが表示されている。
【００３４】
ハードコピー表示領域ＲＰは、設定画面ＳＣ上の右上側に位置している。ハードコピー表示領域ＲＰは、印刷装置４０によって印刷されて生成されたハードコピー６０の観察環境条件ＣＩの下での見え方をシミュレーションした画像ＩＭＰ１、ＩＭＰ２を表示する領域である。図５には、第１シミュレーション画像ＩＭＰ１のみが図示されている。
【００３５】
第１シミュレーション画像ＩＭＰ１は、入力された画像データＤＩＰの補正や、基本色再現プロファイル２８１の補正を行うことなく生成したハードコピー６０の入力された観察環境条件ＣＩの下での見え方をシミュレーションした画像である。つまり、第１シミュレーション画像ＩＭＰ１は、以下のように生成されたハードコピー６０を観察環境下に配置したときの見え方をシミュレーションした画像である。第１シミュレーション画像ＩＭＰ１に対応したハードコピー６０は、入力プロファイル２８２と基本第２出力プロファイル２８５とを用いて生成された印刷画像データＰＤを印刷することで生成される。画像生成部２７５は、補正第１出力プロファイル２９３を用いてＬａｂ画像データ２４４の座標値を、ＲＧＢ色空間における座標値に変換することで第１シミュレーション画像ＩＭＰ１を生成する。生成された第１シミュレーション画像ＩＭＰ１は、表示制御部２７１によって表示入力装置２１に表示される。
【００３６】
第２シミュレーション画像ＩＭＰ２は、基本色再現プロファイル２８１の補正が行われた補正色再現プロファイル２９１を用いて生成された印刷画像データＰＤを用いて生成したハードコピー６０の入力された観察環境条件ＣＩの下での見え方をシミュレーションした画像である。つまり、第２シミュレーション画像ＩＭＰ２は、以下のように生成されたハードコピー６０を観察環境に配置したときの見え方をシミュレーションした画像である。第２シミュレーション画像ＩＭＰ２に対応したハードコピー６０は、入力プロファイル２８２と補正第２出力プロファイル２９５とを用いて生成された印刷画像データＰＤを印刷することで生成される。画像生成部２７５は、補正第２出力プロファイル２９５を用いてＬａｂ画像データ２４４の座標値を、ＲＧＢ色空間における座標値に変換することで第２シミュレーション画像ＩＭＰ２を生成する。生成された第２シミュレーション画像ＩＭＰ２は、表示制御部２７１によって表示入力装置２１に表示される。
【００３７】
ハードコピー表示領域ＲＰの上側には、ハードコピー６０が観察条件の下で展示されたときの状態であることを示す「予想展示状態」を表す文字画像ＩＭｂが表示されている。
【００３８】
補正受付画像ＩＭＡは、設定画面ＳＣ上の元画像表示領域ＲＲとハードコピー表示領域ＲＰとの間に表示されている。補正受付画像ＩＭＡは、ハードコピー表示領域ＲＰに表示するシミュレーション画像について、第１シミュレーション画像ＩＭＰ１と第２シミュレーション画像ＩＭＰ２とのいずれを表示するのかを決定するための入力を受け付ける。補正受付画像ＩＭＡは、ボタンを示す画像であり、「補正ＯＮ？」という文字画像が表示されているときに、カーソルなどを合わせて選択した場合には、ハードコピー表示領域ＲＰには第１シミュレーション画像ＩＭＰ１に代えて第２シミュレーション画像ＩＭＰ２が表示される。「補正ＯＮ？」という文字画像が表示されているときの補正受付画像ＩＭＡは、補正を行うか否かの決定を促す情報として機能する。ハードコピー表示領域ＲＰに第２シミュレーション画像ＩＭＰ２が表示されている場合には、補正受付画像ＩＭＡは「補正ＯＮ！！」という第２シミュレーション画像ＩＭＰ２が表示されていることを示す文字画像を含む。「補正ＯＮ！！」という文字画像が表示されているときに、カーソルなどを合わせて選択した場合、ハードコピー表示領域ＲＰには第２シミュレーション画像ＩＭＰ２に代えて第１シミュレーション画像ＩＭＰ１が表示される。
【００３９】
また、ハードコピー表示領域ＲＰにおいて、シミュレーション画像ＩＭＰ１，ＩＭＰ２の周囲には、背景選択画像ＩＭＢを用いて入力された背景条件ＢＩに基づいて生成された壁画像ＩＭＢＤが表示されている。また、位置種類選択画像ＩＭＴ２を介して「表」が入力された場合には、方向選択画像ＩＭＤを介して入力された照明の向きを模式的に示す照明画像ＩＭＰ３が、ハードコピー表示領域ＲＰに表示される。
【００４０】
操作画像ＩＭＩは、設定画面ＳＣ上の右下に表示されている。操作画像ＩＭＩは、第１操作画像ＩＭＩａと、第２操作画像ＩＭＩｂと、第３操作画像ＩＭＩｃとを備える。第１操作画像ＩＭＩａは、入力受付画像ＩＭＴや背景選択画像ＩＭＢを介して入力された観察環境条件ＣＩおよび背景条件ＢＩを第１記憶部２８に保存する指示を受け付ける画像である。第１操作画像ＩＭＩａは「設定保存」という文字画像を含み、第１操作画像ＩＭＩａが選択されることで、次回の色再現処理を実行する際にも利用可能なように、入力された観察環境条件ＣＩや背景条件ＢＩが第１記憶部２８に保存される。第２操作画像ＩＭＩｂは、次の処理に進むことを促す画像である。第２操作画像ＩＭＩｂは、「次へ」という文字画像を含み、第２操作画像ＩＭＩｂが選択されることで、例えば印刷装置４０によって印刷を行うための印刷指示画面が表示入力装置２１に表示される。第３操作画像ＩＭＩｃは、画像再現方法の実行をキャンセルすることを促す画像である。第３操作画像ＩＭＩｃは、「キャンセル」とう文字画像を含み、第３操作画像ＩＭＩｃが選択されることで、表示入力装置２１に表示された設定画面ＳＣが閉じられて画像再現方法が終了する。
【００４１】
ここで、ステップＳ１０において設定画面ＳＣが表示され、観察環境条件ＣＩや背景条件ＢＩが入力されていないデフォルト状態では、設定画面ＳＣには、ハードコピー表示領域ＲＰには第１シミュレーション画像ＩＭＰ１として元画像ＩＭＲが表示される。
【００４２】
図４に示すように、ステップＳ１０の次に、ステップＳ２０において、補正部２７３は入力された観察環境条件ＣＩに基づいて基本色再現プロファイル２８１を補正する。具体的には、補正部２７３は、基本色再現プロファイル２８１のうちで、基本第１出力プロファイル２８３を補正して、第１シミュレーション画像ＩＭＰ１を生成するための補正第１出力プロファイル２９３と、第２シミュレーション画像ＩＭＰ２を生成するための補正第２出力プロファイル２９５と、補正後の壁画像ＩＭＢＤを生成するための補正背景出力プロファイル２９８を生成する。また補正部２７３は、基本第２出力プロファイル２８５を補正して、印刷画像データＰＤを生成するための補正第３出力プロファイル２９７を生成する。生成された補正第１出力プロファイル２９３と補正第２出力プロファイル２９５と補正第３出力プロファイル２９７と補正背景出力プロファイル２９８とは、第１記憶部２８に保存される。
【００４３】
図６は、第１補正テーブルを説明するための図である。図７は、第２補正テーブルを説明するための図である。図８は、第３補正テーブルを説明するための図である。第１補正テーブル〜第３補正テーブルは、基本色再現プロファイル２８１の補正に用いられる。図６〜図８に示す補正テーブルは、第１記憶部２８に記憶されている。図７に示す第２補正テーブルは、位置関係条件として「表」が入力された場合に用いられる補正テーブルである。図８に示す第３補正テーブルは、位置関係条件として「裏」が入力された場合に用いられる補正テーブルである。図６〜図８に示す数値「１Ａ」〜「３Ａ」は、基本色再現プロファイル２８１を用いた場合と比較した明度や彩度の増加割合や減少割合を示す。また、「Ａ」は、ゼロより大きい数である。また図６に示す「−」は、基本色再現プロファイル２８１から変更を行わないことを示す。
【００４４】
図６に示すように、配置条件が屋内であり、かつ、空間照明位置条件が「天井」である場合、ハードコピー表示領域ＲＰに表示される壁画像ＩＭＢＤの明度が、基本第１出力プロファイル２８３を用いて生成した壁画像ＩＭＢＤの明度よりも１Ａ％高くなるように、補正部２７３は基本第１出力プロファイル２８３を補正して補正背景出力プロファイル２９８を生成する。
【００４５】
また、配置条件が屋内または屋外であり、かつ、空間照明位置条件が「スタンド」である場合、ハードコピー表示領域ＲＰに表示される壁画像ＩＭＢＤの明度および彩度が、基本第１出力プロファイル２８３を用いて生成した壁画像ＩＭＢＤの明度および彩度よりも１Ａ％高くなるように、補正部２７３は基本第１出力プロファイル２８３を補正して補正背景出力プロファイル２９８を生成する。
【００４６】
また、配置条件が屋内または屋外であり、かつ、空間照明位置条件が「スタンド」である場合、ハードコピー表示領域ＲＰに表示される壁画像ＩＭＢＤの明度および彩度が、基本第１出力プロファイル２８３を用いて生成した壁画像ＩＭＢＤの明度および彩度よりも１Ａ％高くなるように、補正部２７３は基本第１出力プロファイル２８３を補正して補正背景出力プロファイル２９８を生成する。
【００４７】
また、配置条件が屋内または屋外であり、かつ、空間照明位置条件が「床」である場合、ハードコピー表示領域ＲＰに表示される壁画像ＩＭＢＤの明度が、基本第１出力プロファイル２８３を用いて生成した壁画像ＩＭＢＤの明度よりも１Ａ％高くなるように、補正部２７３は基本第１出力プロファイル２８３を補正して補正背景出力プロファイル２９８を生成する。
【００４８】
また、配置条件が屋内であり、かつ、空間照明位置条件が「スタンド」である場合、ハードコピー表示領域ＲＰに表示される第１シミュレーション画像ＩＭＰ１の明度および彩度が、基本第１出力プロファイル２８３を用いて生成した第１シミュレーション画像ＩＭＰ１の明度および彩度よりも１Ａ％高くなるように、補正部２７３は基本第１出力プロファイル２８３を補正して補正第１出力プロファイル２９３を生成する。
【００４９】
また、配置条件が屋外であり、かつ、空間照明位置条件が「スタンド」である場合、ハードコピー表示領域ＲＰに表示される第１シミュレーション画像ＩＭＰ１の明度が、基本第１出力プロファイル２８３を用いて生成した第１シミュレーション画像ＩＭＰ１の明度よりも１Ａ％高くなるように、補正部２７３は基本第１出力プロファイル２８３を補正して補正第１出力プロファイル２９３を生成する。
【００５０】
図７に示すように、配置条件が屋内または屋外であり、かつ、種類条件が「蛍光灯」である場合、ハードコピー表示領域ＲＰに表示される第１シミュレーション画像ＩＭＰ１の明度が、基本第１出力プロファイル２８３を用いて生成した第１シミュレーション画像ＩＭＰ１の明度よりも３Ａ％高くなるように、補正部２７３は基本第１出力プロファイル２８３を補正して補正第１出力プロファイル２９３を生成する。また、配置条件が屋内または屋外であり、かつ、種類条件が「蛍光灯」である場合、ハードコピー表示領域ＲＰに表示される第１シミュレーション画像ＩＭＰ１の彩度が、基本第１出力プロファイル２８３を用いて生成した第１シミュレーション画像ＩＭＰ１の彩度よりも２Ａ％低くなるように、補正部２７３は基本第１出力プロファイル２８３を補正して補正第１出力プロファイル２９３を生成する。
【００５１】
また、図７に示すように、配置条件が屋内または屋外であり、かつ、種類条件が「白熱灯」である場合、以下のように補正第１出力プロファイル２９３が生成される。つまり、ハードコピー表示領域ＲＰに表示される第１シミュレーション画像ＩＭＰ１の明度および彩度が、基本第１出力プロファイル２８３を用いて生成した第１シミュレーション画像ＩＭＰ１の明度および彩度よりも２Ａ％高くなるように、補正部２７３は基本第１出力プロファイル２８３を補正して補正第１出力プロファイル２９３を生成する。
【００５２】
図８に示すように、配置条件が屋内または屋外であり、かつ、種類条件が「蛍光灯」である場合、ハードコピー表示領域ＲＰに表示される第１シミュレーション画像ＩＭＰ１の明度が、基本第１出力プロファイル２８３を用いて生成した第１シミュレーション画像ＩＭＰ１の明度よりも２Ａ％高くなるように、補正部２７３は基本第１出力プロファイル２８３を補正して補正第１出力プロファイル２９３を生成する。また、配置条件が屋内または屋外であり、かつ、種類条件が「蛍光灯」である場合、ハードコピー表示領域ＲＰに表示される第１シミュレーション画像ＩＭＰ１の彩度が、基本第１出力プロファイル２８３を用いて生成した第１シミュレーション画像ＩＭＰ１の彩度よりも１Ａ％低くなるように、補正部２７３は基本第１出力プロファイル２８３を補正して補正第１出力プロファイル２９３を生成する。
【００５３】
また、図８に示すように、配置条件が屋内または屋外であり、かつ、種類条件が「白熱灯」である場合、以下のように補正第１出力プロファイル２９３を生成する。つまり、ハードコピー表示領域ＲＰに表示される第１シミュレーション画像ＩＭＰ１の明度および彩度が、基本第１出力プロファイル２８３を用いて生成した第１シミュレーション画像ＩＭＰ１の明度および彩度よりも１Ａ％高くなるように、補正部２７３は基本第１出力プロファイル２８３を補正して補正第１出力プロファイル２９３を生成する。
【００５４】
ここで、補正部２７３が補正第１出力プロファイル２９３を生成する場合において、図６に示す補正項目と、図７や図８に示す補正項目とが重複する場合には、補正割合の程度が大きい方が採用される。例えば、位置関係条件が「表」であり、空間配置条件が屋内であり、空間照明配置条件がスタンドであり、種類条件が白熱灯である場合、図６に示す第１補正テーブルでは、明度および彩度が＋１Ａ％であるが、図７に示す第２補正テーブルでは明度および彩度が＋２Ａ％である。よって、この場合には、第２補正テーブルの補正内容が採用される。なお、第１補正テーブルと、第２補正テーブルおよび第３補正テーブルとの補正の優先度は上記に限定されるものではない。例えば、補正第１出力プロファイル２９３を生成する場合において、第１補正テーブルの補正割合と、第２補正テーブルまたは第３補正テーブルの補正割合の合計割合を用いてもよいし、補正割合の大小に拘わらず常に第２補正テーブルや第３補正テーブルの補正割合を用いてもよい。
【００５５】
図９は、第４補正テーブルを説明するための図である。図１０は、第５補正テーブルを説明するための図である。図１１は、第６補正テーブルを説明するための図である。第４補正テーブル〜第６補正テーブルは、基本色再現プロファイル２８１の補正に用いられる。図９〜図１１に示す補正テーブルは、第１記憶部２８に記憶されている。図１０に示す第５補正テーブルは、位置関係条件が「表」の場合に用いられる補正テーブルである。図１１に示す第６補正テーブルは、位置関係条件が「裏」の場合に用いられる補正テーブルである。図９〜図１１に示す数値「１Ａ」〜「３Ａ」は、基本色再現プロファイル２８１を用いた場合と比較した明度や彩度の増加割合や減少割合を示す。また、「Ａ」は、ゼロより大きい数である。また図９に示す「−」は、基本色再現プロファイル２８１から変更を行わないことを示す。
【００５６】
図９に示す第４補正テーブルの補正内容は、図６に示す第１補正テーブルの補正内容とは逆の内容である。例えば、配置条件が屋内であり、かつ、空間照明位置条件が「天井」である場合、ハードコピー表示領域ＲＰに表示される壁画像ＩＭＢＤの明度が、基本第１出力プロファイル２８３を用いて生成した壁画像ＩＭＢＤの明度よりも１Ａ％低くなるように、補正部２７３は基本第１出力プロファイル２８３を補正して補正背景出力プロファイル２９８を生成する。
【００５７】
また例えば、また、配置条件が屋内であり、かつ、空間照明位置条件が「スタンド」である場合、ハードコピー表示領域ＲＰに表示される第２シミュレーション画像ＩＭＰ２の明度および彩度が、基本第１出力プロファイル２８３を用いて生成した第２シミュレーション画像ＩＭＰ１の明度および彩度よりも１Ａ％低くなるように、補正部２７３は基本第１出力プロファイル２８３を補正して補正第２出力プロファイル２９５を生成する。また、例えば、配置条件が屋内であり、かつ、空間照明位置条件が「スタンド」である場合、ハードコピー６０の明度および彩度が、基本第２出力プロファイル２８５を用いて生成したハードコピー６０の明度および彩度よりも１Ａ％低くなるように、補正部２７３は基本第２出力プロファイル２８５を補正して補正第３出力プロファイル２９７を生成する。
【００５８】
図１０に示す第５補正テーブルの補正内容は、図７に示す第２補正テーブルの補正内容とは逆の内容である。例えば、配置条件が屋内または屋外であり、かつ、種類条件が「蛍光灯」である場合、ハードコピー表示領域ＲＰに表示される第２シミュレーション画像ＩＭＰ２の明度が、基本第１出力プロファイル２８３を用いて生成した第２シミュレーション画像ＩＭＰ１の明度よりも３Ａ％低くなるように、補正部２７３は基本第１出力プロファイル２８３を補正して補正第２出力プロファイル２９５を生成する。また例えば、配置条件が屋内または屋外であり、かつ、種類条件が「蛍光灯」である場合、ハードコピー６０の明度が、基本第２出力プロファイル２８５を用いて生成したハードコピー６０の明度よりも３Ａ％低くなるように、補正部２７３は基本第２出力プロファイル２８５を補正して補正第３出力プロファイル２９７を生成する。
【００５９】
図１１に示す第６補正テーブルの補正内容は、図８に示す第３補正テーブルの補正内容とは逆の内容である。例えば、配置条件が屋内または屋外であり、かつ、種類条件が「白熱灯」である場合、ハードコピー表示領域ＲＰに表示される第２シミュレーション画像ＩＭＰ２の明度および彩度が、基本第１出力プロファイル２８３を用いて生成した第２シミュレーション画像ＩＭＰ１の明度および彩度よりも１Ａ％低くなるように、補正部２７３は基本第１出力プロファイル２８３を補正して補正第２出力プロファイル２９５を生成する。また例えば、配置条件が屋内または屋外であり、かつ、種類条件が「白熱灯」である場合、ハードコピー６０の明度が、基本第２出力プロファイル２８５を用いて生成したハードコピー６０の明度および彩度よりも１％低くなるように、補正部２７３は基本第２出力プロファイル２８５を補正して補正第３出力プロファイル２９７を生成する。
【００６０】
ここで、補正部２７３が補正第３出力プロファイル２９３を生成する場合において、図９に示す補正項目と、図１０や図１１に示す補正項目とが重複する場合には、第１補正テーブル〜第３補正テーブルの関係と同様に、補正割合の程度が大きい方が採用される。なお、第４補正テーブルと、第５補正テーブルおよび第６補正テーブルとの補正の優先度は上記に限定されるものではない。例えば、補正第３出力プロファイル２９３を生成する場合において、第４補正テーブルの補正割合と、第５補正テーブルまたは第６補正テーブルの補正割合の合計割合を用いてもよいし、補正割合の大小に拘わらず常に第５補正テーブルや第６補正テーブルの補正割合を用いてもよい。
【００６１】
図４に示すように、ステップＳ２０の次に、補正がＯＦＦ状態、すなわち第１シミュレーション画像ＩＭＰ１を表示する指示が入力されている場合には、ステップＳ３２において、画像生成部２７５は、基本第１出力プロファイル２８３を用いて、Ｌａｂ画像データ２４４を変換することで第１シミュレーション画像ＩＭＰ１を生成する。また、ステップＳ３２において、画像生成部２７５は、補正背景出力プロファイル２９８を用いてＬａｂ色空間で表された壁画像データ２４２からＲＧＢ色空間で表された壁画像ＩＭＢＤを生成する。なお、ステップＳ３２において、画像生成部２７５は、補正背景出力プロファイル２９８を用いることに代えて、基本第１出力プロファイル２８３を用いて壁画像データ２４２から壁画像ＩＭＢＤを生成してもよい。この場合には、観察環境条件ＣＩの内容に拘わらず、当初の壁画像データ２４２の色が再現されて表示入力装置２１に表示される。
【００６２】
ステップＳ３４において、表示制御部２７１は、ステップＳ３２で生成された第１シミュレーション画像ＩＭＰ１と壁画像ＩＭＢＤを表示入力装置２１のハードコピー表示領域ＲＰに表示させる。
【００６３】
一方で、ステップＳ２０の次に、補正がＯＮ状態、すなわち第２シミュレーション画像ＩＭＰ２を表示する指示が入力されている場合には、ステップＳ３６において、画像生成部２７５は、補正第１出力プロファイル２９３を用いて、Ｌａｂ画像データ２４４を変換することで第２シミュレーション画像ＩＭＰ２を生成する。また、ステップＳ３６において、画像生成部２７５は、補正背景出力プロファイル２９８を用いて壁画像データ２４２から壁画像ＩＭＢＤを生成する。
【００６４】
ステップＳ３７において、表示制御部２７１は、ステップＳ３６で生成された第２シミュレーション画像ＩＭＰ２と壁画像ＩＭＢＤを表示入力装置２１のハードコピー表示領域ＲＰに表示させる。
【００６５】
次に、ハードコピー６０の生成指示が入力された場合、ステップＳ４０において、制御装置２５は、補正第３出力プロファイル２９７を用いて、Ｌａｂ画像データ２４４を印刷画像データＰＤに変換して印刷装置４０に送信する。印刷画像データＰＤを受信した印刷装置４０は、印刷画像データＰＤに基づいて印刷を実行してハードコピー６０を生成する。以上のように、ステップＳ４０では、補正した色再現プロファイルである補正第３出力プロファイル２９７に基づいてハードコピー６０が生成される。
【００６６】
以上のように、上記実施形態では、色再現システム１０は、入力された観察環境条件ＣＩに基づいて基本色再現プロファイル２８１の補正を行い、補正後の補正色再現プロファイル２９１が有する補正第３出力プロファイル２９７に基づいてハードコピー６０を生成している。これにより、観察環境を考慮して、ハードコピー６０において画像データＤＩＰの適切な色再現を行うことができる。つまり、ハードコピー６０を生成し観察環境下に配置した場合に、想定していた見え方とは異なっている自体が生じて基本色再現プロファイル２８１や画像データＤＩＰを再び補正することを抑制できる。
【００６７】
また上記実施形態では、図５に示すように、ハードコピー６０を生成する前に、補正受付画像ＩＭＡを介した入力指示によって、第１シミュレーション画像ＩＭＰ１と、第２シミュレーション画像ＩＭＰ２とが切り替えて設定画面ＳＣに表示される。これにより、ハードコピー６０を生成する前に、設定画面ＳＣを介して第１シミュレーション画像ＩＭＰ１と第２シミュレーション画像ＩＭＰ２を確認できる。
【００６８】
また上記実施形態によれば、図５に示すように、画像データＤＩＰが表す元画像ＩＭＲを、ハードコピー６０を生成する前に設定画面ＳＣに表示している。これにより、利用者は、元画像ＩＭＲとシミュレーション画像ＩＭＰ１，ＩＭＲ２とを容易に比較できる。
【００６９】
また上記実施形態によれば、図５に示すように、設定画面ＳＣに表示するシミュレーション画像ＩＭＰ１，ＩＭＰ２の背景画像として、ハードコピー６０の背景を表す壁画像ＩＭＢＤをシミュレーション画像ＩＭＰ１，ＩＭＰ２の周囲に表示している。これにより、ハードコピー６０が配置される環境により似せた状態で、利用者はシミュレーション画像ＩＭＰ１，ＩＭＰ２を確認できる。特に、上記実施形態では、入力された背景条件ＢＩに基づいて壁画像ＩＭＢＤをシミュレーション画像ＩＭＰ１，ＩＭＰ２の周囲に表示しているので、ハードコピー６０が配置される環境により一層似せた状態で、利用者はシミュレーション画像ＩＭＰ１，ＩＭＰ２を確認できる。
【００７０】
また上記実施形態によれば、図５に示すように、観察環境条件ＣＩや背景条件ＢＩの入力を促すための画像は、複数の選択枝を表す画像であるので、利用者は複数の選択枝の中から選択することで容易に観察環境条件や背景条件を入力できる。
【００７１】
Ｂ．補正テーブルの他の形態：
上記実施形態において、図６〜図１１に示す第１補正テーブル〜第６補正テーブルの明度および彩度の補正割合は、方向選択画像ＩＭＤを介して入力された方向条件に基づいて変更してもよい。具体的には、補正部２７３は、入力された方向条件を元に展示用照明器具から離れるに従い、補正割合を減じるように変更する。以下に具体例を説明する。
【００７２】
図１２は、補正テーブルの変更について説明するための第１の図である。図１２では、展示用照明位置として「表」が入力され、方向条件として図５の方向選択画像ＩＭＤに示す上側３つの画像ＭＳが選択された場合の、変更内容を示している。この場合、補正部２７３は、Ｌａｂ画像データ２４４において展示用照明器具が配置された側から３等分し、上側から補正割合の等倍、０．８倍、０．５倍となるように第１補正テーブル〜第６補正テーブルの補正割合を変更する。
【００７３】
図１３は、補正テーブルの変更について説明するための第２の図である。図１３では、展示用照明位置として「表」が入力され、方向条件として図５の方向選択画像ＩＭＤに示す画像ＭＳ２が選択された場合の、変更内容を示している。この場合、補正部２７３は、Ｌａｂ画像データ２４４において展示用照明器具が配置された側から３等分し、右上側から補正割合の等倍、０．８倍、０．５倍となるように第１補正テーブル〜第６補正テーブルの補正割合を変更する。
【００７４】
上記のごとく、補正部２７３は方向条件に基づいて第１補正テーブル〜第６補正テーブルの補正割合を変更することで、方向条件を反映させた第１シミュレーション画像ＩＭＰ１や第２シミュレーション画像ＩＭＰ２やハードコピー６０を生成できる。
【００７５】
Ｃ．他の実施形態：
Ｃ−１．第１の他の実施形態：
上記実施形態において、方向条件の入力を促すための方向選択画像ＩＭＤの設定画面ＳＣへの表示は省略してもよい。
【００７６】
Ｃ−２．第２の他の実施形態：
上記実施形態において、ハードコピー表示領域ＲＰには、第１シミュレーション画像ＩＭＰ１と第２シミュレーション画像ＩＭＰ２とが同時に表示されてもよい。
【００７７】
Ｃ−３．第３の他の実施形態：
上記実施形態では、補正部２７３は、入力された観察環境条件ＣＩに基づいて基本色再現プロファイル２８１を補正していたがこれに限定されるものではない。例えば、補正部２７３は、入力された観察環境条件ＣＩに基づいて、画像データであるＬａｂ画像データ２４４の色データを補正してもよい。すなわち、補正部２７３は、基本色再現プロファイル２８１は補正することなく、Ｌａｂ画像データ２４４の色データを、入力された観察環境条件ＣＩに基づいて彩度や明度が変更されるように補正する。また上記実施形態では、入力された画像データＤＩＰは、Ｌａｂ画像データ２４４として第１記憶部２８に記憶されていたが、ＲＧＢ色空間で表されたＲＧＢ画像データとして第１記憶部２８に記憶されていてもよい。
【００７８】
Ｃ−４．第４の他の実施形態：
上記実施形態において観察環境条件ＣＩは、配置条件と位置関係条件と種類条件と空間照明位置条件とを有していたがこれに限定されるものではない。例えば、観察環境条件ＣＩは、ハードコピー６０の見え方に影響を与える他の条件を含んでいてもよい。他の条件としては、例えば、ハードコピー６０を照らすための展示用照明器具の色温度を示す条件である。
【００７９】
Ｄ．他の形態：
本開示は、上述した実施形態に限られるものではなく、その趣旨を逸脱しない範囲において種々の形態で実現することができる。例えば、本開示は、以下の形態によっても実現可能である。以下に記載した各形態中の技術的特徴に対応する上記実施形態中の技術的特徴は、本開示の課題の一部又は全部を解決するために、あるいは、本開示の効果の一部又は全部を達成するために、適宜、差し替えや、組み合わせを行うことが可能である。また、その技術的特徴が本明細書中に必須なものとして説明されていなければ、適宜、削除することが可能である。
【００８０】
（１）本開示の一形態によれば、画像データを色再現プロファイルに基づいてハードコピーとして再現する画像再現方法が提供される。この画像再現方法は、再現された前記ハードコピーの観察環境条件の入力を促す入力受付画像を含む設定画面を表示し、入力された前記観察環境条件に基づいて前記画像データと前記色再現プロファイルとのいずれかの補正を行い、前記補正に基づいて前記ハードコピーを生成する。この形態によれば、入力された観察環境条件に基づいて画像データと色再現プロファイルとのいずれかの補正を行い、この補正に基づいてハードコピーを生成することで、観察環境を考慮して、ハードコピーにおいて画像データの適切な色再現を行うことができる。
【００８１】
（２）上記形態であって、さらに、前記補正を行うことなく生成した前記ハードコピーの入力された前記観察環境条件の下での見え方をシミュレーションした第１シミュレーション画像と、前記補正に基づき生成した前記ハードコピーの入力された前記観察環境条件の下での見え方をシミュレーションした第２シミュレーション画像との少なくともいずれか一方のシミュレーション画像と、前記補正を行うか否かの決定を促す情報とを、前記ハードコピーを生成する前に前記設定画面に表示してもよい。この形態によれば、利用者は、ハードコピーを生成する前に、設定画面を介して第１シミュレーション画像と第２シミュレーション画像との少なくともいずれか一方を確認できるので、確認を行った後に補正を行うか否かを決定できる。
【００８２】
（３）上記形態であって、さらに、前記画像データが表す元画像を、前記ハードコピーを生成する前に前記設定画面に表示してもよい。この形態によれば、利用者は、元画像とシミュレーション画像とを容易に比較できる。
【００８３】
（４）上記形態であって、さらに、前記設定画面に表示する前記シミュレーション画像の背景画像として、前記ハードコピーの背景を表す壁画像を前記シミュレーション画像の周囲に表示してもよい。この形態によれば、ハードコピーが配置される環境により似せた状態で、利用者はシミュレーション画像を確認できる。
【００８４】
（５）上記形態であって、さらに、前記壁画像の条件である背景条件の入力を促す背景選択画像を前記設定画面に表示し、入力された前記背景条件に基づいて前記壁画像を前記シミュレーション画像の周囲に表示してもよい。この形態によれば、ハードコピーが配置される環境により一層似せた状態で、利用者はシミュレーション画像を確認できる。
【００８５】
（６）上記形態であって、前記観察環境条件は、前記ハードコピーの配置場所に関する配置条件を含んでもよい。この形態によれば、入力受付画像を介して配置条件の入力を受け付けることができる。
【００８６】
（７）上記形態であって、前記観察環境条件は、前記ハードコピーを照らすための展示用照明器具と、前記ハードコピーとの位置関係を示す位置関係条件を含んでもよい。この形態によれば、入力受付画像を介して位置関係条件の入力を受け付けることができる。
【００８７】
（８）上記形態であって、前記観察環境条件は、前記ハードコピーを照らすための展示用照明器具の種類を示す種類条件を含んでもよい。この形態によれば、入力受付画像を介して種類条件の入力を受け付けることができる。
【００８８】
（９）上記形態であって、前記観察環境条件は、前記ハードコピーが展示される空間を照らすための空間用照明器具の位置を示す空間照明位置条件を含んでもよい。この形態によれば、入力受付画像を介して空間照明位置条件の入力を受け付けることができる。
【００８９】
（１０）上記形態であって、前記設定画面に表示された画像は、前記観察環境条件を示す複数の選択枝を表す画像を含んでもよい。この形態によれば、利用者は複数の選択枝の中から選択することで容易に観察環境条件を入力できる。
【００９０】
本開示は、画像再現方法以外の種々の形態で実現することも可能である。例えば、画像再現システムや、画像再現方法や画像再現システムを実現するコンピュータープログラム、そのコンピュータープログラムを記録した一時的でない記録媒体等の形態で実現することができる。
【符号の説明】
【００９１】
１０…色再現システム、２０…情報処理装置、２１…表示入力装置、２５…制御装置、２６…第１通信インターフェース、２７…第１ＣＰＵ、２８…第１記憶部、３０…外部機器、４０…印刷装置、４６…第２通信インターフェース、４７…第２ＣＰＵ、４８…記録ヘッド、４９…第２記憶部、６０…ハードコピー、２４２…壁画像データ、２４４…Ｌａｂ画像データ、２７１…表示制御部、２７３…補正部、２７５…画像生成部、２８１…基本色再現プロファイル、２８２…入力プロファイル、２８３…基本第１出力プロファイル、２８５…基本第２出力プロファイル、２９１…補正色再現プロファイル、２９３…補正第１出力プロファイル、２９５…補正第２出力プロファイル、２９７…補正第３出力プロファイル、２９８…補正背景出力プロファイル、４７１…印刷制御部、ＢＩ…背景条件、ＣＩ…観察環境条件、ＤＤ…表示画像データ、ＤＩＰ…画像データ、ＩＭＡ…補正受付画像、ＩＭＢ…背景選択画像、ＩＭＢＤ…壁画像、ＩＭＤ…方向選択画像、ＩＭＤ１…表用方向選択画像、ＩＭＤ２…裏用方向選択画像、ＩＭＩ…操作画像、ＩＭＩａ…第１操作画像、ＩＭＩｂ…第２操作画像、ＩＭＩｃ…第３操作画像、ＩＭＬ１…位置選択画像、ＩＭＬ３，ＩＭＬ４…詳細選択画像、ＩＭＬ５…種類選択画像、ＩＭＰ１…第１シミュレーション画像、ＩＭＰ２…第２シミュレーション画像、ＩＭＰ３…照明画像、ＩＭＲ…元画像、ＩＭＴ…入力受付画像、ＩＭＴ１…配置選択画像、ＩＭＴ２…位置種類選択画像、ＩＭａ…文字画像、ＩＭＩａ…第１操作画像、ＩＭＩｂ…第２操作画像、ＩＭＩｃ…第３操作画像、ＩＭｂ…文字画像、ＰＤ…印刷画像データ、ＲＰ…ハードコピー表示領域、ＲＲ…元画像表示領域、ＳＣ…設定画面
【図１】
2020182153.tif 000003
【図２】
2020182153.tif 000004
【図３】
2020182153.tif 000005
【図４】
2020182153.tif 000006
【図５】
2020182153.tif 000007
【図６】
2020182153.tif 000008
【図７】
2020182153.tif 000009
【図８】
2020182153.tif 000010
【図９】
2020182153.tif 000011
【図１０】
2020182153.tif 000012
【図１１】
2020182153.tif 000013
【図１２】
2020182153.tif 000014
【図１３】
2020182153.tif 000015